(57)【要約】【課題】二層式天板を備えるデスクの仕舞い寸法及び角度の調整を容易にする。【解決手段】  天板１、固定された副天板２、主天板を支える支持脚３を備え、主天板を前後スライド可能な可動フレーム上に支持して副天板に対して引き出し、仕舞い可能とし、さらに該主天板の左右に固定された第一、第二サイド天板１１、１２に対して手前側に起立して角度を持たせた状態で固定可能とすることにより、主天板の使用面積を大きく、且つ必要に応じてしまい寸法を小さくして使用の便を図る。【選択図】図1
0003131420.tif 000002
【実用新案登録請求の範囲】
【請求項１】
主天板１と、
主天板１上方の重なる位置に固定された副天板２と、
これらを支持する支持脚３を備え、
支持脚３に固定された固定フレーム上に前後方向にスライド可能な可動フレーム４を設けて主天板を支持固定し、
副天板を連結フレームを介して固定フレームに固定支持した、
ことを特徴とする二層式天板を有するデスク。
【請求項２】
上記可動フレームは、平行な縦桿４０，４１及びこれらの間に設けられた少なく１本の横桿４６からなり、これらの支持構造上に主天板１を支持固定することを特徴とする、
請求項１に記載の二層式天板を有するデスク。
【請求項３】
上記可動フレームは、その両縦桿４０、４１両端を固定フレーム５の両側に固定された第一及び第二スライドカバー４４、４５にスライド可能に挿通された第一及び第二スライドポール４２、４３のそれぞれの両端に固定されていることを特徴とする、
請求項２に記載の二層式天板を有するデスク。
【請求項４】
上記可動フレームの両縦桿４０、４１の両先端は、取り付け片４０１、４０２、４０３、４０４を介して第一及び第二スライドポール４２、４３に固定され、
第一及び第二スライドカバー４４、４５には固定用ねじ４４１を内部に挿通する第一及び第二スライドポール４２、４３に対して設けることにより、可動フレームのスライド動作と固定を行なうことを特徴とする、
請求項３に記載の二層式天板を有するデスク。
【請求項５】
上記可動フレームの横桿４６は、固定板４６１を介して第一及び第二スライドカバー４４、４５に平行に配置された第三スライドカバー４６２に固定され、
該第三スライドカバー４６２は、第三スライドポール４６３をスライド可能に挿通すると共に該第三スライドポール４６３両端は固定フレーム５に固定されていることを特徴とする、
請求項３に記載の二層式天板を有するデスク。
【請求項６】
上記主天板１は３枚式で、主天板１０と、主天板１０の両側に配置された第一及び第二サイド天板１１、１２からなり、
該第一及び第二サイド天板１１、１２は可動フレーム４の縦桿４０、４１上に固定され、
主天板１０の下面手前側には左右に渡る軸心１０１を設け、該軸心を第一及び第二サイド天板１１、１２の下面手前側に設けられたＬ字金具１１１、１２１の挿入孔１１２、１２２に差し込み式に挿通することにより、主天板を該軸心の廻りに回動可能としたことを特徴とする、
請求項２、３に記載の二層式天板を有するデスク。
【請求項７】
上記可動フレームの横桿４６に対して垂直方向に設けられた連結フレーム４６ｂを介してエアシリンダー７を設けてその駆動端を主天板に対して起立可能に取り付けたことを特徴とする、
請求項６に記載の二層式天板を有するデスク。
【考案の詳細な説明】
【技術分野】
【０００１】
本考案は、二層式天板のデスク構造に関するものであり、特に主天板がスライドして位置調整することができ、これによりデスク上の利用面積を増し、デスク周辺の空間も環境に応じて活用できる。
【背景技術】
【０００２】
従来のデスクは、天板が１枚のものが多く、デスク上の利用面積は限られる。仮にもう１枚副天板を付けた場合も、置く場所は増えたとしても、副天板と主天板の位置空間が重なっている場合が多く、その場合高さに制限が生じてしまい、また天板を一定の高さに設置してしまった場合、例えばパーソナルコンピューターに設置用のUBSカメラ等の置き場所に困るなど、個人仕様に対応し難いものになってしまいがちであった。
【特許文献１】特開平９−２２４７４６号公報
【特許文献２】特開昭６２−４９８０７号公報
【考案の開示】
【考案が解決しようとする課題】
【０００３】
昨今、科学・技術が進歩し、パーソナルコンピューターの周辺設備の発展も目覚しいが、本当の意味で使用者に満足の行く環境を与えられているかを考慮すべきであり、特に部屋の広くないユーザー（例えば、台北、香港、シンガポール、日本等先進国の人々）は家賃の問題もあり、なかなか広い居住空間のある環境を得られない、この限りある空間を有効に使うために求められているものは、作業面積が増やせるデスクであり、また使わない場合に場所をとらないことも大切であり、現状で主天板が動かせるタイプのデスクも多く出回っている。しかしながら、その多くは重く、また動かせる機能の他、デスク上の物体の落下防止や危険防止のためにぐらつかない安定性にも注意が必要であり、これらの問題点を解決、改善する為に当考案者は二層式天板のデスク構造を考案した。
【課題を解決するための手段】
【０００４】
本考案は、二層式天板のデスク構造に関するものであり、大きめの主天板と、小さめの副天板、主天板を支える支持脚と、主天板の底に固設された可動フレームと、可動フレームと支持脚を取り付ける固定フレームと、副天板を固定フレームに取り付ける連結フレームからなり、その副天板の位置は主天板と重なる位置空間にあるが、主天板は可動フレームによってスライドし、簡単に引き出すこと、またしまうことが出来る構造とする。
【考案の効果】
【０００５】
本考案は、主天板１が可動フレーム４に支持されて固定フレーム上を前後にスライドする構造になっており、必要に応じて可動フレームに支持された主天板を引き出すことで、デスクの利用面積を増やし、また主天板上方に重なる位置空間にある副天板の高さを気にすることなく、デスクを有効に利用することができ、またもしデスクを置く空間が狭いときは主天板１と副天板２を重なる位置にして場所をとらず、小さくすることができ、デスク周辺の空間に応じて活用することができる。
【考案を実施するための最良の形態】
【０００６】
上記課題は、特許請求の範囲における各請求項に示すように、下記の構成を備える考案によって解決される。
【０００７】
図１、図２、図３、図４、に示すように本考案は、大きめの主天板１と、主天板１と重なる位置になる小さめの副天板２と、主天板１を支える支持脚３と、主天板１の下面に固設された可動フレーム４と、支持脚３に固定されて可動フレーム４を支持する固定フレーム５と、副天板２を固定フレーム５に取り付ける連結フレーム６からなる二層式天板のデスク構造を備える。
【０００８】
可動フレーム４は一対の平行な縦桿４０、４１を備え、主天板１はこれら縦桿４０、４１は上に固定支持される。
両縦軸桿４０、４１は、固定フレーム５の両側に固定された第一及び第二スライドカバー４４、４５中をスライド移動可能な第一及び第二スライドポール４２、４３の両端にそれぞれの両端で固定される。
【０００９】
その固定構造は、両縦桿の両端に設けられた取り付け片４０１、４０２、４０３、４０４により、第一及び第二スライドポール４２、４３の両端に固定され、これら第一及び第二スライドポール４２、４３をスライド可能に挿通する第一及び第二スライドカバー４４、４５には第一及び第二固定用ねじ４４１を設けて（この図２の角度からは第一固定用ねじ４４１しかみえない）、これら固定ネジを必要に応じて締結、緩めることにより第二スライドポール４２、４３のスライド動作、及び固定を行ない、主天板１を副天板２に重ならない位置まで引き出したり、仕舞ったり、位置調整し、或いは任意の位置に固定する。
【００１０】
縦桿４０と縦桿４１の間には少なくとも１本の横桿４６を設けて主天板１を支持し、横桿４６は固定板４６１を介して第一及び第二スライドカバー４４、４５と平行に配置された第三スライドカバー４６２に固定される。
第三スライドカバー４６２は、中空構造であって第三スライドポール４６３を挿通し、第三スライドポール４６３の両先端４６４、４６５を固定フレーム５に固定することにより、可動フレーム４をスライド移動するとき、第三スライドカバー４６２は主天板１を支持して第三スライドポール４６３上でスライドする。
【００１１】
さらに、デスクの便利性を考慮し、その主天板１は３枚式になっており、主天板１０とその両側の第一及び第二サイド天板１１、１２から構成され、第一及び第二サイド天板１１、１２は、可動フレーム４の縦桿４０、４１上に固定され、主天板１０はその下面手前側に左右に渡して設けられた軸心１０１（この図３の角度からは軸心１０１しかみえない）を第一及び第二サイド天板１１、１２の下面手前側に設けられたＬ字金具１１１、１２１の挿入孔１１２、１２２に回動可能に差し込み式に取り付けることにより、主天板１を軸心１０１の廻りに回動させて、主天板１０を必要に応じて手前に起こし、角度を調節することができる。
【００１２】
主天板１０は、以上の構成により角度が調節でき、位置を固定することができ、さらに、可動フレーム４の横桿４６部分には支持脚３と同じく垂直方向に設けられた連結フレーム４６ｂが取り付けられており、連結フレーム４６ｂにはエアシリンダー７が設けられており、エアシリンダー７の先端は主天板１０を支えるように設けられており、エアシリンダー７はその伸縮動作で主天板１０が下面の軸心１０１の廻りに回動して主天板１０に角度をつけた状態でその高さに応じた位置で主天板１０を支えることができる。
【００１３】
図５、図６に示すように本考案は、主天板１が可動フレーム４に支持されて固定フレーム５上を前後にスライドする構造になっており、必要に応じて可動フレームに支持された主天板１を引き出すことで、デスクの利用面積を増やし、また主天板１上方に重なる位置空間にある副天板２の高さを気にすることなく、デスクを有効に利用することができ、またもしデスクを置く空間が狭いときは主天板１と副天板２を重なる位置にして場所をとらず、小さくすることができ、デスク周辺の空間に応じて活用することができる。
【００１４】
図４は、主天板１を引き出した場合の、固定フレームの中の説明であり、主天板１を引き出した場合に固定フレーム５上に物が落下するのを避けるために、固定フレームの中にはトレイ５０が設けられており、トレイ５０の底は複数のメッシュ孔５１が開けてあり、ユーザーはトレイ５０に文房具を入れることが可能であり、また、メッシュ孔はコンピューターを使う場合の各ラインや電源をとる際に使うことができる。
【図面の簡単な説明】
【００１５】
【図１】二層式天板のデスクの概略斜視図である。
【図２】支持脚と固定フレームと可動フレーム部分の分解斜視図である。
【図３】主天板部分の分解斜視図と支持脚と固定フレームと可動フレーム部分の概略斜視図である。
【図４】トレイ部分と主天板の角度を変えた場合を説明する斜視図である。
【図５】主天板のスライド構造の引き出した状態を説明する裏面からの斜視図である。
【図６】主天板のスライド構造の閉じた状態を説明する裏面からの斜視図である
【符号の説明】
【００１６】
１、デスク
１０、主天板
１１、第一サイド天板
１２、第二サイド天板
１０１、軸心
１１１、１２１、Ｌ字金具
１１２、１２２、挿入孔
２、副天板
３、支持脚
４、可動フレーム
４０、４１、縦桿
４０１、４０２、４０３、４０４取り付け片
４２、第一スライドポール
４３、第二スライドポール
４４、第一スライドカバー
４５、第二スライドカバー
４４１、固定用ねじ
４６、横桿
４６１、固定板
４６２、第三スライドカバー
４６４、４６５、第三スライドポールの両端
４６ｂ、連結桿
５、固定フレーム
５０、トレイ
５１、メッシュ孔
６、連結フレーム
７、エアシリンダー
【図１】
0003131420.tif 000003
【図２】
0003131420.tif 000004
【図３】
0003131420.tif 000005
【図４】
0003131420.tif 000006
【図５】
0003131420.tif 000007
【図６】
0003131420.tif 000008